(57)【特許請求の範囲】
【請求項１】
吐出路が開口する吐出装置の先部に、弾性材からなり有底筒状をなす開閉部材がその底板部を吐出路の開口端に対向させて取り付けられており、開閉部材の底板部には、開閉口となるスリットが形成されており、該スリットは吐出路内が低圧時には自己の弾性により閉塞し、吐出路内が高圧時には開口し、この開閉部材の筒部が、吐出装置の先部に固定された固定部材を介して吐出装置に固定され、内容液を噴出可能とする吐出装置の吐出部構造であって、
前記固定部材は両端開口の筒状をなし、その前部には内方へ張り出す掛止環が設けられ、掛止環の内径は開閉部材の筒部の内径に等しいかそれより大径であり、前記開閉部材はこの固定部材の内側に収容され、開閉部材の筒部の先端が前記固定部材の掛止環に係止されている吐出装置の吐出部構造。
【請求項２】
前記開閉部材の筒部の内周面と固定部材の係止環の内周面によって、ひとつのストレート孔のように形成していることを特徴とする請求項１記載の吐出装置の吐出部構造。
【請求項３】
請求項１または２に記載の吐出装置の吐出部構造において、前記開閉部材が予め前記固定部材に組み込み固定されていることを特徴とする吐出装置の吐出部構造。
【発明の詳細な説明】
【０００１】
【産業上の利用分野】
本発明は、液体洗剤等を霧状あるいはシャワー状に噴射可能とする吐出装置に関するものである。
【０００２】
【従来の技術】
図４は実開平６−４２６１５号公報に開示されたトリガー式噴霧装置の吐出部の断面図である。
【０００３】
この噴霧装置はその先部に先端構成部材７０を備えており、先端構成部材７０は先端に取付凹部７１を有するとともに、取付凹部７１に開口する吐出路７２を有している。取付凹部７１には開閉部材８０及び固定部材９０が収納固定されている。
【０００４】
開閉部材８０は弾性材で形成されていて有底筒状をなし、その底板部８１にスリット８２が形成されている。このスリット８２は、トリガーを操作して吐出路７２内の液圧を高めると開口して、吐出路７２内の液体を霧状に噴射せしめる噴霧ノズルとして機能し、噴霧が完了して吐出路７２内が低圧になると自己の弾性によって閉塞し、液体の噴射を停止せしめるストップバルブとして機能する。
【０００５】
固定部材９０は二重管構造をなし、外筒部９１と内筒部９２の間に閉塞部材８０の筒部８３を嵌合させることにより、開閉部材８０は固定部材９０に組み込み保持されている。開閉部材８０が組み込み保持された固定部材９０は、先端構成部材７０の取付凹部７１に嵌合固定されている。
【０００６】
【発明が解決しようとする課題】
前記従来の噴霧装置においては、開閉部材８０の底板部８１と固定部材９０の内筒部９２の先端との間に隙間１００が形成されているが、この隙間１００が、噴霧すべき液体の種類によっては、噴霧性能を低下させる要因になった。
【０００７】
即ち、ある種の液体洗剤は空気に触れると数分で固化する性質を有している。このような洗剤を前記噴霧装置で吐出すると、吐出された洗剤の一部が前記隙間１００に残留し、これが固化する。固化した洗剤は、開閉部材８０のスリット８２の開動作を妨げ、その結果、噴霧形態が不均一になったり、噴霧方向が偏向するなどの不具合が生じた。
【０００８】
正常な噴霧状態に復帰させるには、前記固化した洗剤を除去すればよいのであるが、その際には固定部材９０の内筒部９２が邪魔になって除去することができないか、除去できたとしても非常に困難な作業となった。
【０００９】
本発明はこのような従来の技術の問題点に鑑みてなされたものであり、噴射性能を良好に維持できる吐出装置の吐出部構造を提供することを目的とする。
【００１０】
【課題を解決するための手段】
本発明は前記課題を解決するために、以下の手段を採用した。
〈本発明の要旨〉本発明は、吐出路が開口する吐出装置の先部に、弾性材からなり有底筒状をなす開閉部材がその底板部を吐出路の開口端に対向させて取り付けられており、開閉部材の底板部にはスリットが形成されており、このスリットは吐出路内が低圧時には自己の弾性により閉塞し、吐出路内が高圧時には開口し、
この開閉部材の筒部が、吐出装置の先部に固定された固定部材を介して吐出装置に固定されている吐出装置の吐出部構造において、前記固定部材は両端開口の筒状をなし、その前部には内方へ張り出す掛止環が設けられ、掛止環の内径は開閉部材の筒部の内径に等しいかそれより大径であり、この固定部材の内側に開閉部材が収容されていて、前記掛止環が開閉部材の筒部の先端に掛止することを特徴とする吐出装置の吐出部構造である（請求項１に対応）。ここで、掛止環の内径を開閉部材の筒部の内径と等しくすれば開閉部材の筒部の内周面と固定部材の係止環の内周面によって、ひとつのストレート孔のように形成することができる。（請求項２に対応）。
【００１１】
以下に、本発明のポイントを簡単に述べる。
固定部材を吐出装置の先部に固定する手段には特に限定はなく、嵌合手段や螺合手段等を例示することができる。
【００１２】
掛止環の内径が開閉部材の筒部の内径に等しいかそれより大径ということは、換言すれば、掛止環が開閉部材の筒部よりも径方向内側に突出していないということである。
【００１３】
開閉部材の開閉口は、底板部に形成したスリットで構成することができ、その場合のスリットの形状は、１本の直線状に形成してもよいし、十字形に形成してもよいし、複数本平行に形成してもよいし、複数本交差して形成してもよく、所望する噴射形態によって適宜選択することができる。
【００１４】
液体を噴射するための液体加圧手段は、トリガー式ポンプやスクイズ容器等、種々の加圧手段を採用することができる。開閉部材を予め固定部材に組み込み保持した構造とすることも可能である（請求項３に対応）。このようにすると、吐出装置の吐出部の組み立てが容易になる。この場合の保持手段としては、嵌合手段や螺合手段等を例示することができる。
【００１５】
〈本発明の原材料〉
開閉部材にはシリコーンゴム、天然ゴム、プロピレンゴム等が採用可能であるが、吐出液対象が固化し易い液体洗剤のような場合には、付着しても剥離し易い性質を有するシリコーンゴムが最適である。
【００１６】
〈本発明の利用可能性〉
本発明は、液体用の吐出装置の分野に利用可能であり、特に、液体洗剤や液体ワックス等を噴射する家庭用の簡易的な吐出装置に好適である。
【００１７】
【作用】
〈本発明の作用〉
吐出路内の液圧が低圧である時には、開閉部材は自己の弾性によって開閉口を閉じていて、液体が開閉部材の外に漏出することはない。
【００１８】
吐出路内の液圧が所定の圧力を越えると、開閉部材の底板部が弾性変形して開閉口が開き、その開閉口から液体洗剤が霧状あるいはシャワー状に噴射される。噴射された液体の一部が開閉部材の外面に付着し固化して、開閉口の開動作を妨げ、噴霧性能が悪化した場合には、この固形物を除去して正常な噴霧状態に復帰させる。開閉部材の筒部内には固形物除去の邪魔になるものが存在しないので、固形物を簡単且つ迅速に除去することができる。
【００１９】
【実施例】
以下、本発明の実施例を図１から図３の図面に基いて説明する。
図２は本発明の吐出装置としてのトリガー式噴霧装置の外観側面図であり、この噴霧装置１はキャップ５１によって容器５０の口部に取り付けられている。
【００２０】
噴霧装置１は、フレーム２と、図示しないスプリングによって前方に付勢されたトリガー３と、フレーム２の先端に設けられた先端構成部１０とを備えている。この噴霧装置１においては、トリガー３が前方にスプリングバックする時に、容器５０内に収容されている液体洗剤がフレーム２内にポンプアップされ、トリガー３を手前に引いた時にフレーム２内にポンプアップされた液体洗剤が先端構成部材１０の先端から噴霧されるようになっている。
【００２１】
図１は噴霧装置１の吐出部の縦断面図である。先端構成部材１０には、その先端部に取付凹部１１が形成されるとともに、取付凹部１１の中央に開口する吐出路１２が形成されている。この吐出路１２はフレーム２に設けられた吐出路５，６に接続されていて、容器５０からポンプアップされた液体洗剤は、トリガー３の引き付け操作によって、フレーム２の吐出路５，６を通り先端構成部材１０の吐出路１２に流入するようになっている。
【００２２】
取付凹部１１内には開閉部材２０と固定部材３０が挿入固定されている。開閉部材２０はシリコーンゴムで形成されていて、有底筒状をなし、底板部２１の底面は球殻状に凹んでいる。図３は開閉部材２０の正面図であり、開閉部材２０の底板部２１の中央には１本のスリット（開閉口）２２が形成されている。スリット２２は通常（吐出路１２内の液圧が低圧の時）は底板部２１の弾性によって閉塞しているが、吐出路１２内の液圧が所定値以上に上昇すると押し開かれるようになっている。
【００２３】
開閉部材２０の筒部２３の前方寄りの外周面には掛止突起２４が設けられており、筒部２３の底部には係合突起２５が設けられている。係合突起２５は取付凹部１１の底部に設けられた係合溝１３に係合して、スリット２２と吐出路１２の開口端とが中心を一致させて対向配置するように開閉部材２０を位置決めする。
【００２４】
固定部材３０は両端を開口させた筒状をなし、筒部３１の前端には内方へ突出する掛止環３２が設けられている。掛止環３２の内径は開閉部材２０の筒部２３の内径に等しい。
【００２５】
筒部３１の外周面には係合突起３３が設けられ、内周面には掛止突起３４が設けられている。外周面の係合突起３３は取付凹部１１の内周面に設けられた係合溝１４に係合して、固定部材３０を先端構成部材１０に固定せしめる。
【００２６】
開閉部材２０は固定部材３０の内側に挿入されており、開閉部材２０の筒部２３の前端が固定部材３０の掛止環３２の内面に密接状態に掛止し、且つ、開閉部材２０の掛止突起２４と固定部材３０の掛止突起３４とが掛止し合って、開閉部材２０は固定部材３０に保持固定されている。即ち、開閉部材２０は固定部材３０を介して先端構成部材１０に固定されることとなる。
【００２７】
尚、実際の組み立て手順としては、初めに開閉部材２０を固定部材３０に組み込んでおき、次に、その固定部材３０を先端構成部材１０に挿入固定する。
【００２８】
次に、この噴霧装置１の作用を説明する。
トリガー３を手前に引き付け操作していない時には吐出路５，６，１２内の液圧は低圧であるので、開閉部材２０は自己の弾性によってスリット２２を完全に閉じている。したがって、液体洗剤が開閉部材２０の外に漏出することはない。
【００２９】
トリガー３を手前に引き付け操作すると、容器５０からポンプアップされた液体洗剤がフレーム２の吐出路５，６内に押し出される結果、吐出路５，６，１２内の液圧が上昇する。そして、吐出路１２内の液圧が所定の圧力を越えると底板部２１の弾性に抗してスリット２２が開かれ、その開口から液体洗剤が霧状に噴射される。
【００３０】
ところで、液体洗剤をスリット２２から噴霧すると、液体洗剤の一部が開閉部材２０の外面に付着し、固化する場合がある。この固化した洗剤が開閉部材２０の底板部２１と筒部２３との角部に付着していると、スリット２２の開動作が妨げられて、噴霧形態が不均一になったり、噴霧方向が偏向するなどの不具合が生じる。
【００３１】
そのような場合には、固化した洗剤を除去することにより、正常な噴霧状態に復帰させることができる。ここで、この噴霧装置１では、開閉部材２０の筒部２３の内周面と固定部材３０の掛止環３２の内周面が面一になっていて、一つのストレート孔のようになっているので、固化した洗剤を簡単且つ迅速に除去することができる。
【００３２】
したがって、この噴霧装置１では、洗剤の固化により噴霧状態が悪化したとしても、簡単に且つ迅速に正常な噴霧状態に復帰させることができ、長期に亙って良好な噴霧状態を保持することができる。
【００３３】
又、もしもスリット２２が開いていない場合やスリット２２が固化した洗剤に塞がれた場合等において、トリガー３を引くと液圧が高圧になろうとするが、液が開閉部材２０と固定部材３０の間を通り外に吐出され圧力が逃げるため、異常な高圧により固定部材３０及び先端構成部材１０が飛び出すことはなく、固化した洗剤で塞がれた場合は洗剤が押し出される。
【００３４】
尚、本実施例では固定部材３０の掛止環３２の内径と、開閉部材２０の筒部２３の内径を同一にしたが、掛止環３２の内径を筒部３２の内径よりも大きくしても構わない。このようにすると、筒部２３と掛止環３２との間に段差が生じることとなるが、この段差は外方へ進むにしたがって拡径する段差となるので、固化した洗剤を除去する時に邪魔になることはない。したがって、このようにしても前述実施例と同様の効果を得ることができる。
【００３５】
【発明の効果】
以上説明したように、本発明によれば、固定部材の掛止環を開閉部材の筒部の先端に密接して掛止し、しかも、固定部材の掛止環の内径を開閉部材の筒部の内径に等しいかそれよりも大径にしたので、開閉部材に付着した液体が固化して噴霧状態が悪化したとしても、付着した固形物を簡単且つ迅速に閉塞部材から除去することができ、その結果、簡単且つ迅速に正常な噴霧状態に復帰させることができるという優れた効果が奏される。
【００３６】
又、開閉部材を固定部材に予め組み込み保持した場合には、吐出部の組み立てが容易になるという効果がある。
【図面の簡単な説明】
【図１】本発明の吐出装置の一実施例における吐出部の断面図である。
【図２】容器に装着された本発明の吐出装置の一実施例の側面図である。
【図３】本発明の吐出装置の一実施例における開閉部材の正面図である。
【図４】従来の吐出装置における吐出部の断面図である。
【符号の説明】
１  噴霧装置（吐出装置）
１０  先端構成部材（吐出装置の先部）
１１  取付凹部
１２  吐出路
２０  開閉部材
２１  底板部
２２  スリット（開閉口）
２３  筒部
３０  固定部材
３１  筒部
３２  掛止環
【図１】
0003723870.tif 000002
【図２】
0003723870.tif 000003
【図３】
0003723870.tif 000004
【図４】
0003723870.tif 000005